(57)【要約】  本発明は、少なくとも１つの互いの縁でリンクされた少なくとも１つの外部コンパートメント（ＣＥ）と少なくとも１つの第１の内部コンパートメント（ＣＩ１）とを備えた、フラクタルの形態にある関節連結可能構造に関する。少なくとも２つのコンパートメント（ＣＥ，ＣＩ１）は、組み立てられた状態および設計された状態で本質的に同じ形状を有する。第１の内部コンパートメント（ＣＩ１）は、外部コンパートメントの寸法よりも小さい寸法を有する。組み立てられた状態では、第１の内部コンパートメントは外部コンパートメント（ＣＥ）内に収容されたままである。各コンパートメントは、少なくとも４つの側面（ＦＬ）と底面（ＦＦ）とを含む多角形の形状を有する。関節連結可能構造の各コンパートメントは、４つの側面（ＦＬ）と底面（ＦＦ）に対応する少なくとも５つの四角形面を含み、底面（ＦＦ）の各縁は側面（ＦＬ）のうちの１つの同じ寸法の下縁にリンクされている。また、二等辺三角形の形態にある少なくとも４つの等しい三角形面（Ｔ）を含み、各三角形面（Ｔ）は２つの隣り合う側面を連結している。三角形の隣辺に相当する各縁は、側面（ＦＬ）のうちの１つの側縁に関節でリンクされ、また、三角形の斜辺に相当する縁は、２つの隣り合う側面の頂点をリンクする。第１の内部コンパートメント（ＣＩ１）の三角形面（Ｔ）の斜縁の長さは、外部コンパートメント（ＣＥ）の側面（ＦＬ）の上縁の長さと等しいか又はその長さよりも小さい。この構造は、無数のコンパートメントが、逐次互いに内部に配置され、異なる仕方で互いに関節で連結され得、同じ最終形状を得るという使用を可能にする。
2014501666.tif 000002
【特許請求の範囲】
【請求項１】
少なくとも１つの互いの縁でリンクされた少なくとも１つの外部コンパートメント（ＣＥ）と少なくとも１つの第１の内部コンパートメント（ＣＩ１）とを備えた、フラクタルの形態にある関節連結可能構造であって、
上記少なくとも２つのコンパートメント（ＣＥ，ＣＩ１）は、組み立てられた状態および設計された状態で本質的に同じ形状を有し、上記第１の内部コンパートメント（ＣＩ１）は、上記外部コンパートメントの寸法よりも小さい寸法を有し、上記組み立てられた状態では、上記第１の内部コンパートメントは上記外部コンパートメント（ＣＥ）内に収容されたままであり、各コンパートメントは、少なくとも４つの側面（ＦＬ）と底面（ＦＦ）とを含む多角形の形状を有し、
各構造コンパートメントは、
上記４つの側面（ＦＬ）と上記底面（ＦＦ）に対応する少なくとも５つの四角形面を含み、上記底面（ＦＦ）の各縁は上記側面（ＦＬ）のうちの１つの同じ寸法の下縁にリンクされ、
二等辺三角形の形態にある少なくとも４つの等しい三角形面（Ｔ）を含み、各三角形面（Ｔ）は２つの隣り合う側面を連結し、
上記三角形の隣辺に相当する各縁は、上記側面（ＦＬ）のうちの１つの側縁に関節でリンクされ、また、上記三角形の斜辺に相当する縁は、上記２つの隣り合う側面の頂点をリンクし、
上記第１の内部コンパートメント（ＣＩ１）の上記三角形面（Ｔ）の斜縁の長さは、上記外部コンパートメント（ＣＥ）の上記側面（ＦＬ）の上縁の長さと等しいか又はその長さよりも小さい関節連結可能構造。
【請求項２】
請求項１に記載の関節連結可能構造において、
上記第１の内部コンパートメント（ＣＩ１）の１つの三角形面（Ｔ）の斜縁の長さの半分は、上記外部コンパートメント（ＣＥ）の上記側面（ＦＬ）の上縁の長さの半分と関節で連結されていることを特徴とする関節連結可能構造。
【請求項３】
請求項１または２に記載の関節連結可能構造において、
上記組み立てられた状態にあるとき、各構造コンパートメントの各三角形面（Ｔ）は、その三角形面の直角の二等分線に、人がその三角形面を上記構造に折り畳むことを可能にする中央の関節（１）を有することを特徴とする関節連結可能構造。
【請求項４】
請求項１から３までのいずれか一つに記載の関節連結可能構造において、
複数の内部コンパートメント（ＣＩ２，ＣＩ３，…，ＣＩＮ）を備え、
上記組み立てられた状態では、各内部コンパートメント（ＣＩＮ）は、直ぐにより大きい内部コンパートメント（ＣＩ（Ｎ−１））内に収容されており、
各内部コンパートメント（ＣＩＮ）は、上記組み立てられた状態および上記設計された状態で、上記直ぐにより大きい内部コンパートメント（ＣＩ（Ｎ−１））と実質的に同じ形状を有し、
１つの内部コンパートメント（ＣＩＮ）の上記三角形面（Ｔ）の斜縁の長さは、上記直ぐにより大きい内部コンパートメント（ＣＩ（Ｎ−１））の上記側面（ＦＬ）の上縁の長さと等しいか又はその長さよりも小さく、
上記内部コンパートメント（ＣＩＮ）の上記三角形面（Ｔ）の斜縁の長さの半分は、上記より大きい内部コンパートメント（ＣＩ（Ｎ−１））の１つの側面の上縁の長さの半分に対して関節で連結されていることを特徴とする関節連結可能構造。
【請求項５】
請求項４に記載の関節連結可能構造において、
各コンパートメントの全ての四角形面は正方形であり、
上記外部コンパートメント（ＣＥ）の上記側面（ＦＬ）の辺は長さＬを有し、
上記内部コンパートメント（ＣＩ１，ＣＩ２，ＣＩ３，…，ＣＩＮ）の上記側面（ＦＬ）の辺は長さ
2014501666.tif 000008
を有することを特徴とする関節連結可能構造。
【請求項６】
請求項１から５までのいずれか一つに記載の関節連結可能構造において、
上記設計された状態にある単一の平らな片によって形成され、
上記関節の連結および継ぎ目は、上記単一の片における折り目によって形成されることを特徴とする関節連結可能構造。
【請求項７】
請求項１から６までのいずれか一つに記載の関節連結可能構造において、
上記関節の連結および継ぎ目は、ヒンジによって形成されることを特徴とする関節連結可能構造。
【請求項８】
請求項１から７までのいずれか一つに記載の関節連結可能構造において、
上記構造コンパートメントのうちの少なくとも１つの底面（ＦＦ）は、そのコンパートメントの対角線の１つの方向に関節（８）または切れ目（９）を有することを特徴とする関節連結可能構造。
【請求項９】
請求項１から８までのいずれか一つに記載の関節連結可能構造において、
２つの同一の外部コンパートメント（ＣＥ１、ＣＥ２）を備え、それらの外部コンパートメントの各々は、１つの内部コンパートメント（ＣＩ１，ＣＩ２，ＣＩ３，…，ＣＩＮ）に連結され、
上記外部コンパートメントの形状と類似した形状をもつ１つのリンク用コンパートメント（ＣＬ）を備え、各外部コンパートメントは、リンク用コンパートメント（ＣＬ）の側面（ＦＬ）の上縁に関節で連結された上縁をもつ側面（ＦＬ）を有し、
上記外部コンパートメントに連結された上記リンク用コンパートメントの上記側面は、正反対に対向していることを特徴とする関節連結可能構造。
【請求項１０】
請求項９に記載の関節連結可能構造において、
上記リンク用コンパートメント（ＣＬ）は、そのリンク用コンパートメントの自由な側面のうちの少なくとも１つの上縁に付けられた少なくとも１つのストラップを含むことを特徴とする関節連結可能構造。
【請求項１１】
請求項１から１０までのいずれか一つに記載の関節連結可能構造において、
上記関節連結可能構造の各コンパートメント（ＣＥ、ＣＩＮ）は、さらに、そのコンパートメントのカバー（ＦＴ）に相当する第６の四角形面を備え、その四角形面は上記底面（ＦＦ）と同じ寸法を有し、
各コンパートメントの上記カバー面は、二等辺三角形の形態にある３つのフラップ（２１、２２、２３）を備え、上記フラップの各々は、上記カバー面の自由端に対して、そのフラップの斜辺によって関節で連結されていることを特徴とする関節連結可能構造。
【請求項１２】
請求項１から１１までのいずれか一つに記載の関節連結可能構造において、
上記外部コンパートメントは、さらに、その外部コンパートメントの上記底面より小さい寸法の支持面（Ａ）を備えた台座を有し、
上記支持面（Ａ）の４つの側縁の各々は、側部三角形（Ｂ）に関節で連結され、
上記側部三角形（Ｂ）の各々は、１つの縁で、基部三角形（Ｃ１、Ｃ２、Ｃ３、Ｃ４）と関節で連結され、
４つの上記基部三角形のうちの３つ（Ｃ１、Ｃ２、Ｃ３）は、上記支持面（Ａ）にリンクしているその基部三角形の角と反対の上記基部三角形の縁を通して、それぞれの支持台形（Ｄ）の縁に関節で連結され、
４番目の上記基部三角形（Ｃ４）は、上記外部コンパートメントの側面と等しい正方形の連結面（Ｅ）の縁に関節で連結され、
上記連結面（Ｅ）は、上記基部三角形（Ｃ４）と反対の縁によって、上記外部コンパートメント（ＣＥ）の側面（ＦＬ）の上縁に、関節でリンクされ、
各基部三角形（Ｃ１、Ｃ２、Ｃ３）は、また、別の縁によって、折り畳み三角形（Ｇ）の縁に、関節で連結され、
４つの上記折り畳み三角形（Ｇ）は、上記支持面（Ａ）の下を走り、内側へ折り重ね可能であり、
上記外部コンパートメントの各側面（ＦＬ）は切断部（５）を有し、
上記構造が上記組み立てられた状態にあり、かつ上記台座が上記外部コンパートメント（ＣＥ）の内側に取り付けられているとき、上記切断部の中へ、上記カバー面（ＦＴ）に関節で連結された３つの三角形フラップとともに、上記台座の台形（Ｄ）の端部が嵌合することを特徴とする関節連結可能構造。
【請求項１３】
請求項１から１２までのいずれか一つに記載の関節連結可能構造において、
上記外部コンパートメント（ＣＥ）の自由な側面（ＦＬ）の１つの上縁に取り付けられた、少なくとも１つのストラップ（３０、４０）を備えたことを特徴とする関節連結可能構造。
【請求項１４】
請求項１から１３までのいずれか一つに記載の関節連結可能構造において、
上記設計された状態および上記組み立てられた状態でフラクタルの形態に構成され、
上記設計された状態および上記組み立てられた状態で、上記外部コンパートメント（ＣＥ）の形状は、内部コンパートメント（ＣＩＮ）内に逐次的に再現され、
上記組み立てられた状態では、上記内部コンパートメント（ＣＩＮ）は、上記直ぐにより大きい内部コンパートメント（ＣＩ（Ｎ−１））内に、４５度の角度変位で、密に合わされて、多重コンパートメントパッケージを構成することを特徴とする関節連結可能構造。
【請求項１５】
請求項１１から１４までのいずれか一つに記載の関節連結可能構造において、
上記外部コンパートメントの側面（ＦＬ）は切断部（５）を有し、その切断部の中へ上記カバーの上記フラップ（２１、２２、２３）が嵌合し、
上記切断部（５）と上記フラップ（２１、２２、２３）は、上記構造のカバーが閉じられると互いに係合するロック（５１、５２）を備えて、上記構造との上記カバー面（ＦＴ）の確実な固定を提供することを特徴とする関節連結可能構造。
【請求項１６】
請求項１１または１４のいずれか一つに記載の関節連結可能構造において、
上記側面（ＦＬ）および底面（ＦＦ）は、上記フラップ（２１、２２、２３）の２倍の厚さを有し、
上記フラップ（２１、２２、２３）の結合領域内で、上記側面（ＦＬ）における内部に、凹部（Ｒ）が形成され、
上記凹部（Ｒ）の中への上記フラップの係合のために、上記凹部（Ｒ）は、上記フラップと同じ形状、および、上記側面の半分の厚さを示していることを特徴とする関節連結可能構造。
【請求項１７】
請求項１２、１４または１５に記載の関節連結可能構造において、
上記台座の支持台形（Ｄ）の１つから延在するストラップ（１００）を備え、
上記組み立てられた状態では、
上記ストラップ（１００）は、１つの側面（ＦＬ）の切断部（５）を通して、上記最も外側のコンパートメント（ＣＥ）の外側へ通り抜け、
上記ストラップの端部（１０１）は、反対側の側面（ＦＬ）の別の切断部（５）を通して、上記外部コンパートメント（ＣＥ）の内側へ通過し、
上記ストラップの端部（１０１）は、反対側の支持台形（Ｄ）の端部（１０２）に接着されることを特徴とする関節連結可能構造。
【発明の詳細な説明】
【技術分野】
【０００１】
本発明は、フラクタルの多角形の縁の形態にある関節連結可能構造に関する。それは、互いに逐次内側に配置された複数の内部コンパートメントを保持することができ、このことは、本発明に無数の機能と用途を提供しながら、組立品に対して高い強度と保護を与える。そして、特にパッケージとして、再利用されることを可能にし、それによって材料の廃棄が妨げられる。
【背景技術】
【０００２】
折り畳んで組み立てられ得る幾つかのパッケージが、既に従来技術から公知である。それは、ユーザに娯楽用途を提供し、また顕著な美的表現を有する。これらのパッケージの幾つかは、パッケージ内でのスペースの節約および最適化を目的としている。
【０００３】
また、折り紙のように、厚紙を折り畳むことによって組み立てられる玩具も、知られている。これらの玩具は、単に娯楽を目的とするか、または教育的な特徴も持っているかも知れない。それは、子供たちが体積、３次元形状を認識するのを発達させることを支援し、さらには折り紙における手先の器用さ、または、相互にかみ合うことを可能にする互換性のある形状を持つ折り畳まれた片を作ることにおける発達を支援する。
【０００４】
従来技術のパッケージのいずれも、異なるタイプの対象物に適合可能で、可変な容量をもち、かつ、単にパッケージとして機能する以外の他の用途（とりわけ、玩具、ゲーム、電卓、本、壁かけ時計、数学教育の対象物、キーホルダ、肖像画ホルダ、家具１点のような）を提供するというような、これらの目的を同時に達成することはできない。また、このパッケージの使用は、環境保護の特徴を有する。すなわち、それは、材料の廃棄を妨げると同時に、そのようなパッケージを消費することについて付加的な魅力になる。
【０００５】
それに代わって、フラクタルは複雑な幾何学形状である。その形状は、異なるサイズで無限に再現しながら、通常は同じ内部比率を維持する。フラクタルは、とりわけ、特定の葉の形、木の枝、または分子構造のような、自然の幾つかの局面において観察される。それらは、通常、例えば幾何学形状の回転、並進及び縮小の反復プロセスによって形成される。フラクタルの非常に独特の特性のせいで、フラクタルは、生物学、地質学、生化学、地理学、画像処理および数学的モデル化など、科学の様々な部門で使用されている。しかし、人は、パッケージを作ることにおけるフラクタルの用途を思い付かなかった。
【発明の概要】
【０００６】
本発明の目的は、折り畳むことによって組み立てられ、単なる運ぶ製品とは異なる他の機能を持つ品物としてユーザによって採用され得、かつ材料の廃棄を回避するパッケージを提供することであり、また、付加的な魅力を有するフラクタルの形態にある関節連結可能構造を提供することである。
【０００７】
本発明のさらなる目的は、フラクタルの形態にある関節連結可能構造であって、組み立てられた状態であまりスペースを占有しないが、同時にその内部で完全に区画されており、その体積をより有効に利用できるものを提供することにある。
【０００８】
また、本発明の別の目的は、ユニークで差別化された態様で開けることができ、製品のプレゼンテーションに価値を授け、その受取人に衝撃を引き起こす物を提供することにある。
【０００９】
本発明の別の目的は、製品を保持するだけでなく、その内面と外面の機能を提供できる物を提供することである。
【００１０】
また、ユーザに対して教育的支援を提供しながら、フラクタル構造を有する関節連結可能物を提供することを目的とする。
【００１１】
さらに、本発明の目的は、パッケージを形成するのに使用され得る関節連結可能構造であって、従来のパッケージよりも、より大きい衝撃を吸収し、パッケージの内容物に向けられている力をより良く分散して、その内容物に対してより大きい保護を提供するものを提供することにある。
【００１２】
最後に、本発明の目的は、輪郭が描かれかつ関節連結可能な幾何学的構造であって、折り畳み及び空間最適化システムの助けで、様々な形状およびタイプの物の構造的部分として組み立てられ、適用され得るものを創出することにある。
【図面の簡単な説明】
【００１３】
以下、本発明を、図面に示された実施例に基づいて、より詳細に説明する。図面は次のものを示す。
【図１】図１は、１つの内部コンパートメントおよび１つの外部コンパートメントのみを有し、設計（展開）された位置にある、本発明に係るフラクタルの形態にある第１実施形態の関節連結可能構造の上面図である。
【図２Ａ】図２Ａは、組み立てられた位置にある、図１に示された構造の水平断面図である。
【図２Ｂ】図２Ｂは、図２Ａに示された構造の断面図である。
【図３】図３は、図１に示された構造の上面図であって、その構造を組み立てられた状態にするために、その各々の部分の折り畳み方向の第１の可能性を示す矢印が付けられたものである。
【図４】図４は、図１に示された構造の上面図であって、その構造を組み立てられた状態にするために、その各々の部分の折り畳み方向の第２の可能性を示す矢印が付けられたものである。
【図５Ａ】図５Ａは、別の設計を有する本発明に係る関節連結可能構造の上面図であって、設計された位置にある、図１に示された構造の組成物の代替の形を示すものである。
【図５Ｂ】図５Ｂは、別の設計を有する本発明に係る関節連結可能構造の上面図であって、設計された位置にある、図１に示された構造の組成物の代替の形を示すものである。
【図５Ｃ】図５Ｃは、別の設計を有する本発明に係る関節連結可能構造の上面図であって、設計された位置にある、図１に示された構造の組成物の代替の形を示すものである。
【図５Ｄ】図５Ｄは、別の設計を有する本発明に係る関節連結可能構造の上面図であって、設計された位置にある、図１に示された構造の組成物の代替の形を示すものである。
【図５Ｅ】図５Ｅは、別の設計を有する本発明に係る関節連結可能構造の上面図であって、設計された位置にある、図１に示された構造の組成物の代替の形を示すものである。
【図５Ｆ】図５Ｆは、別の設計を有する本発明に係る関節連結可能構造の上面図であって、設計された位置にある、図１に示された構造の組成物の代替の形を示すものである。
【図５Ｇ】図５Ｇは、別の設計を有する本発明に係る関節連結可能構造の上面図であって、設計された位置にある、図１に示された構造の組成物の代替の形態を示すものである。
【図６】図６は、組み立てられた位置にある、図５に示された構造の水平断面図である。
【図７】図７は、平行六面体の形態にある１つの内部コンパートメントのみを有し、設計された位置にある、本発明のフラクタルの形態にある第２実施形態の関節連結可能構造の上面図である。
【図８】図８は、設計された位置にある、本発明に係る第３実施形態の構造の上面図である。そこでは、基面がくり抜かれている。
【図９Ａ】図９Ａは、設計された位置にある、本発明に係る第４実施形態の構造であって、それに結合された支持体を有するものを示す上面図である。
【図９Ｂ】図９Ｂは、組み立てられた位置にある台座を有し、残りのコンパートメントが開位置にある、上記第４実施形態の構造の上部斜視図である。
【図９Ｃ】図９Ｃは、上記第４実施形態の構造の概略的な上部斜視図であって、台座とコンパートメントが組み立てられた位置にあり、上記台座と上記外部コンパートメント内の上記内部コンパートメントとの間の配置を示すものである。
【図１０Ａ】図１０Ａは、組み立てられた位置にある図９に示された構造の水平断面図である。
【図１０Ｂ】図１０Ｂは、組み立てられた位置にある図９に示された構造の水平断面図である。
【図１１Ａ】図１１Ａは、図１０Ａ中の組み立てられた構造の断面図である。
【図１１Ｂ】図１１Ｂは、図１０Ｂ中の組み立てられた構造の断面図である。
【図１２】図１２は、設計された位置にある、本発明のフラクタルの形態にある第５実施形態の関節連結可能構造であって、その内部コンパートメントにＣＤの積み重ねを格納するものの上面図である。
【図１３】図１３は、設計された位置にある、本発明のフラクタルの形態にある第６実施形態の関節連結可能構造であって、その蓋に取り付けられたキーリングチェーンと、その内部コンパートメント内のＵＳＢメモリ（pen drive）とを有するものの上面図である。
【図１４Ａ】図１４Ａは、電卓の形態で、分解された位置にある、本発明に係る第７実施形態の関節連結可能構造の１つ目のバージョンの上面図である。
【図１４Ｂ】図１４Ｂは、電卓の形態で、分解された位置にある、本発明に係る第７実施形態の関節連結可能構造の２つ目のバージョンの上面図である。
【図１５】図１５は、設計された位置にある、本発明のフラクタルの形態にある第８実施形態の関節連結可能構造であって、時間、分、秒を示す時計として機能するものの上面図である。
【図１６Ａ】図１６Ａは、カレンダの形態で、設計された位置にある、本発明のフラクタルの形態にある第９実施形態の関節連結可能構造の１つ目のバージョンの上面図である。
【図１６Ｂ】図１６Ｂは、カレンダの形態で、設計された位置にある、本発明のフラクタルの形態にある第９実施形態の関節連結可能構造の２つ目のバージョンの上面図である。
【図１７】図１７は、コンピュータ用のキーボードとマウスとして動作する、設計された位置にある、本発明のフラクタルの形態にある第１０実施形態の関節連結可能構造の上面図である。
【図１８】図１８は、コンピュータ用のキーボード、マウスおよびモニタの形態で、設計された位置にある、本発明のフラクタルの形態にある第１１実施形態の関節連結可能構造の上面図である。
【図１９】図１９は、携帯電話の形態で、設計された位置にある、本発明のフラクタルの形態にある第１２実施形態の関節連結可能構造の上面図である。
【図２０】図２０は、ポータブル型ステレオ音楽プレーヤの形態で、設計された位置にある、本発明のフラクタルの形態にある第１３実施形態の関節連結可能構造の上面図である。
【図２１Ａ】図２１Ａは、設計された位置にある、本発明のフラクタルの形態にある第１４実施形態の関節連結可能構造であって、２つのストラップを有する結合用コンパートメントによって結合された２つの外部コンパートメントを用いるものの上面図である。
【図２１Ｂ】図２１Ｂは、組み立てられた位置にある図２１に示された構造の図である。
【図２２】図２２は、底面に折り目が設けられている実施形態で、フラクタル立方体を形成する、本発明に係るフラクタルの形態にある関節連結可能構造の組立ステップの手順を示す図である。
【図２３】図２３は、底面に切り出しが設けられている実施形態で、フラクタル立方体を形成する、本発明に係るフラクタルの形態にある関節連結可能構造の組立ステップの手順を示す図である。
【図２４Ａ】図２４Ａは、異なるタイプのストラップを用いる本発明の構造を示す図である。
【図２４Ｂ】図２４Ｂは、異なるタイプのストラップを用いる本発明の構造を示す図である。
【図２４Ｃ】図２４Ｃは、異なるタイプのストラップを用いる本発明の構造を示す図である。
【図２４Ｄ】図２４Ｄは、ストラップを用いる本発明の構造を組み立てるステップを示す図である。
【図２４Ｅ】図２４Ｅは、ストラップを用いる本発明の構造を組み立てるステップを示す図である。
【図２５】図２５は、宣伝用の箱の形態にある、本発明の実施形態の構造を示す図である。
【図２６】図２６は、カバーロックを備えた本発明の実施形態の構造を示す図である。
【図２７Ａ】図２７Ａは、本発明の実施形態の構造であって、構造の面がフラップの厚さとは異なる厚さで作られているものを示す図である。
【図２７Ｂ】図２７Ｂは、本発明の実施形態の構造であって、構造の面がフラップの厚さとは異なる厚さで作られているものを示す図である。
【図２７Ｃ】図２７Ｃは、本発明の実施形態の構造であって、構造の面がフラップの厚さとは異なる厚さで作られているものを示す図である。
【図２７Ｄ】図２７Ｄは、本発明の実施形態の構造であって、構造の面がフラップの厚さとは異なる厚さで作られているものを示す図である。
【図２７Ｅ】図２７Ｅは、本発明の実施形態の構造であって、構造の面がフラップの厚さとは異なる厚さで作られているものを示す図である。
【図２８】図２８は、より小さい構造の組み立てと、その後のより大きい構造の組み立てとを示す手順の斜視図である。
【図２９】図２９は、２つのコンパートメントが組み立て位置にある場合に、より大きいコンパートメント内に収容されたより小さいコンパートメントを示す。
【図３０】図３０は、３つのコンパートメントをもつ一実施形態の構造であって、それらのコンパートメントのうちの１つのみが組み立てられているものを示す。
【図３１Ａ】図３１Ａは、台座とストラップを有し、設計された位置にある別の実施形態の構造を示す。
【図３１Ｂ】図３１Ｂは、台座とストラップを有し、設計された位置にある別の実施形態の構造を示す。
【図３２Ａ】図３２Ａは、組み立てられた形態にある図３１Ａ及び図３１Ｂに示された実施形態の構造の正面図である。
【図３２Ｂ】図３２Ｂは、組み立てられた形態にある図３１Ａ及び図３１Ｂに示された実施形態の構造の側面図である。
【発明を実施するための形態】
【００１４】
図１は、本発明の第１実施形態の関節連結可能構造であって、その設計された形状がフラクタルに基づいているものを示している。図１において、関節連結可能構造は、その構造の設計された状態で示されている。この関節連結可能構造は、外部コンパートメントＣＥと第１の内部コンパートメントＣＩ１とを備えている。それらは、それらの縁のうちの少なくとも一つによって互いにリンクされている。図から分かるように、２つのコンパートメントは、設計された状態、開で、正確に同じ形状を有している。ただし、内部コンパートメントＣＩ１は、外部コンパートメントＣＥよりも小さい寸法を有している。その結果、組み立てられた状態で、この内部コンパートメントは、上記外部コンパートメント内に収容される。
【００１５】
図１に示すように、組み立てられた状態で、多角形の形状、好ましくは立方体の形状を有する。内部コンパートメントは、図７に示すように、直方体状であってもよい。外部コンパートメントと内部コンパートメントは、４つの側面ＦＬと、１つの底面ＦＦとを有している。
【００１６】
好ましくは、上記外側コンパートメントおよび内部コンパートメントはカバー面ＦＴをも含むが、この面は、本発明に係る関節連結可能構造の全ての形態に必須ではない。内部コンパートメントだけ若しくは外側コンパートメントだけがカバー面を有する、または、それらがいずれもカバー面を有しない、という可能性がある（本発明の図示されていない実施形態）。パッケージとして関節連結可能構造を適用した場合には、コンパートメントはこのカバー面ＦＴを有するのが有利である。その理由は、開く自然な傾向に抗して、立方体の形状にあるパッケージが組み立てられるのを可能にするからである。このカバー面が用いられない場合は、接着、溶接、ベルクロ（Velcro）システム、磁石、スナップフィット（snap-fit）などの、側面を一緒に保つための別の手段を用いることが必要である。
【００１７】
側面ＦＬ、底面ＦＦ、カバー面ＦＴは、四角形の形状を有する。それは、正方形または長方形であってもよい。本発明のほとんどの実施形態では、例えば図１から図６の実施形態では、側面、底面、カバー面は、正方形であり同一である。内部コンパートメントおよび外部コンパートメントでは、図１に見られるように、底面ＦＦの各縁は、側面ＦＬの１つと同じ寸法の下縁に対して関節でリンクされている。これは、コンパートメントが組み立てられながら、側面が、底面ＦＦおよび隣り合う側面と直角を形成して、図３及び図４に示す矢印方向に上向きまたは下向きに折り畳まれることを可能にする。
【００１８】
外部コンパートメントと内部コンパートメントは、さらに、直角二等辺三角形の形にある４つの等しい三角形面Ｔを持っている。三角形面Ｔの各々は、二つの側面ＦＬを接続する。この目的のため、三角形面Ｔの隣辺に相当する各縁が、隣り合う側面ＦＬの１つの側縁に対して関節でリンクされている。また、三角形面Ｔの斜辺に相当する縁は、隣り合う２つの側面ＦＬの頂点をリンクする。
【００１９】
組み立てられた位置にある構造の内部空間の利用拡大を達成したいと人が望む、本発明の好ましい実施形態では、内部コンパートメントおよび外部コンパートメントの面の寸法は、以下に示す特定の比率を満たすべきである。しかしながら、本発明の構造は、最大値の寸法よりも小さい寸法を有する内部コンパートメントを有してもよい。そのことは、さらにより多くの内部コンパートメントがその中に収容されることを可能にする。
【００２０】
人は分かるように、例えば、図１から図５Ｇでは、第１の内部コンパートメントＣＩ１の三角形面の斜縁の長さは、その内部コンパートメントの側面ＦＬの上縁の長さと等しいか又はその長さよりも小さい。それは、図２Ａに示すように内部コンパートメントＣＩ１が外部コンパートメントＣＥ内に外部コンパートメントに関して４５°だけ変位された配置で嵌合し得るようにである。また、図５Ｆ（本発明の類似の実施形態を示している）の助けで人が理解できるように、第１の内部コンパートメントＣＩ１の三角形面の斜縁は、外部コンパートメントの側面ＦＬの上縁の長さＬに等しい。結果として、内部コンパートメントＣＩ１の側面ＦＬは、その三角形面Ｔの隣辺と等しい高さを有する。そして、これらの側面の高さは、
2014501666.tif 000003
に等しいだろう。例えば、とりわけ図１、図２、図５Ａ〜５Ｇに示された本発明の図示の実施形態では、内部コンパートメントの側面は全て等しく、その結果、図２Ａおよび図２Ｂに示すように内部コンパートメントは外部コンパートメント内により密に収容される。他方、図７（長方形の内部コンパートメントを示している）の場合には、内部コンパートメントの側面３１，３２，３３，３４は、その内部コンパートメントの底面３５の長方形の形状に伴う寸法を有すべきである。それから、正反対に対向している側面３１、３３は、全ての辺が
2014501666.tif 000004
（Ｌは外部コンパートメントの側面ＦＬの縁の長さである。）に等しい長さをもつ正方形の形状を有する。一方、２つの側面３２，３４は、長方形の形状を有する。その短辺（高さ）は
2014501666.tif 000005
の関係を満たす一方、長辺（幅）は上記内部コンパートメントの底面３５の幅に等しい。
【００２１】
また、人は気づくように、図１から図７において、第１の内部コンパートメントＣＩ１の三角形面Ｔの斜縁の長さの半分は、外部コンパートメントＣＥの側面ＦＬの上縁の長さの半分に関節で連結されるべきである。コンパートメントの間のこの連結は、図３、図４及び図２８に示された折り目に従う構造が組み立てられると、より短い長さが、より大きいコンパートメント内に４５°だけ変位した所望の向きで収容される、ということを可能にする。本発明の幾つかの用途では、特にそれがパッケージとして使用される場合は、外箱の面が、正確に最も弱い領域（この面の中央である。）で内箱の縁によって支持され始めるから、パッケージの配置は組立品に対してより大きい抵抗力を分け与え、最も内側の箱内にある製品により大きい保護を与える。図２８は、より小さい内部コンパートメントＣＩ１とより大きい外部コンパートメントＣＥとを含む、本発明に係るパッケージを折り畳むためのステップの手順を示している。その結果、パッケージが完全に組み立てられた状態になると、上記より小さい内部コンパートメントＣＩ１は上記より大きい外部コンパートメントＣＥ内に収容される。図２９は、２つのコンパートメントが組み立てられた位置にあるとき、上記より大きいコンパートメント内に上記より小さいコンパートメントが収容される態様を、概略図で示している。図３０は、３つのコンパートメントをもつ一実施形態の構造であって、より小さいコンパートメントＣＩ２のみが組み立てられた状態にあるものを示している。中間のコンパートメントＣＩ１およびより大きいコンパートメントは設計された位置に示されている。３コンパートメント構造を組み立てるためには、全てのコンパートメントが組み立てられた位置になり、より小さいコンパートメントＣＩ２が中間のコンパートメントＣＩ１内に収容されるまで、図２８に示された手順に従うことで足りる。
【００２２】
また、パッケージの各内側または外側のコンパートメントの各三角面Ｔは、その三角面の直角の二等分線に、中央の関節１を有することが望ましい。本発明に係る構造が紙で作られる場合、この関節１は、折り目又はしわの形態であってもよい。それは、上記三角形面の二等分線における、その三角形面を等しい２つのより小さい直角三角形に半分に分割する。この折り目は、立方体の形態にあるパッケージとして上記構造を組み立てると、上記三角形面がそれぞれのコンパートメントの内側へ折り畳まれることを可能にする。それは、上記三角形面Ｔによって、２つの隣り合う側面ＦＬが互いに寄り掛かるように連結されることを引き起こし、それらが鉛直位置に配置されたとき直角を形成し、また、底面と長方形を形成する。
【００２３】
既述のように、図面に示された本発明の実施形態では、内部または外部の各コンパートメントは、さらに、底面ＦＦと同じ寸法を有する第６の四角形面からなるカバー面ＦＴを含む。カバー面ＦＴは、図１、図３および図４（開状態にあるパッケージを示す）に見られるように、自由な側面ＦＬの１つの上縁と関節で連結された縁を有する。各コンパートメントのカバー面ＦＴは、そのカバー面の３つの自由端の各々で、好ましくは三角形の（より好ましくは二等辺三角形の形態にある）フラップ２１、２２、２３に、関節で連結されている。また、このフラップは、それが適切な閉鎖の機能を果たす限り、とりわけ、例えば円形、台形などの他の形状を示してもよい。各三角形フラップ２１、２２、２３の斜辺に相当する辺は、カバー面ＦＴに連結される。側面ＦＬに連結された縁と反対の三角形フラップ２２の２つの隣辺は、隣り合う三角形フラップ２１，２３の１つの隣辺に、直線上でリンクされるのが好ましい。この構造は、パッケージを１枚に製造するのを容易にする。開状態にあるカバーが近似的な正方形の形状を有するからである。それは、紙片の切断を簡素化する。三角形フラップ２１、２２、２３は、側面ＦＬに接近し、上記パッケージの閉鎖を支援し確保するために、それぞれのコンパートメントの４つの面ＦＬの３つの上縁と平行な切断線の縁に嵌まるために働く。
【００２４】
内部のより小さいコンパートメントと外部のより大きいコンパートメントとは、同じ幾何学的形状を有し、フラクタルのようなものを形成することを、人は観察できる。
【００２５】
図５Ａ、５Ｂ、５Ｃ、５Ｄ、５Ｅ、５Ｆおよび５Ｇに示された本発明の実施形態では、パッケージは、複数の内部コンパートメントを有している。それらの全ては、開いた状態にある外部コンパートメントと同じ形状を有し、フラクタルの用途をさらにを特徴付けている。より小さい幾何学的形状とより小さい比率でのＮ回の繰り返しがあるからである。ここで、Ｎは、１から任意の正の整数に変わってもよく、パッケージの内部コンパートメントＣＩ１，ＣＩ２，ＣＩ３，…，ＣＩＮの数に対応する。コンパートメントＣＩ１は、外部コンパートメントよりも直ぐに小さい最大の内部コンパートメントである。上記内部コンパートメントは、ＣＥのサイズの７０．７５％に対応する寸法を有するのが好ましい。上記内部コンパートメントの寸法は、Ｎが増加するに連れて、この比率で次第により小さくなっている。その結果、内部コンパートメントＣＩＮは、最も小さく、パッケージが組み立てられると、最も内側になる。組み立てられた状態では、各内部コンパートメントＣＩＮは、それぞれ直ぐにより大きい内部コンパートメントＣＩ（Ｎ−１）内に収容される。組み立てられた状態では、各内部コンパートメントＣＩＮは、直ぐにより大きい内部コンパートメントＣＩ（Ｎ−１）と同じ形状を有する。直ぐのコンパートメント（ＣＩＮまたはＣＥ）の寸法の７０．７５％に対応する寸法を有する内部コンパートメントＣＩ（Ｎ−１）の使用は、組み立てられた状態で、最も内側のコンパートメントの縁が、最も外側のコンパートメントの側面ＦＬに触れることを可能にし、構造に対してより大きい抵抗力を与え、内部コンパートメントが緩むのを防ぐ。
【００２６】
図５Ａ、５Ｂ、５Ｃ、５Ｄ、５Ｅ、５Ｆおよび５Ｇは、設計された構造が、互いに対して様々な態様で配置されている内部コンパートメントを用いて構築され得ることを示している。しかしながら、上記コンパートメントが互いに対して配置されている態様にかかわらず、図５Ａ、５Ｂ、５Ｃ、５Ｄ、５Ｅ、５Ｆおよび５Ｇのいずれかに従う構造が組み立てられると、それらは同じ形状および外観を有するだろう。また、全てのそれらのコンパートメントは、直ぐにより大きいコンパートメント、直ぐにより小さいコンパートメントに対して４５度に配置されるだろう。
【００２７】
本発明のこの実施形態では、内部コンパートメントと外部コンパートメントの寸法間の比率は、フラクタル構成を特徴づけながら一方が他方内に収容されることを可能にするように、特定の数学的関係を満たすべきである。外部コンパートメントＣＥと第１の内部コンパートメントＣＩ１との間の比率と同様に、内部コンパートメントＣＩＮの三角形面Ｔの斜辺の長さは、より大きい内部コンパートメントＣＩ（Ｎ−１）の側面ＦＬの上縁の長さと等しいか又はその長さより短くあるべきである。同じ態様で、内部コンパートメントＣＩＮの三角形面Ｔの斜辺の半分は、直ぐにより大きい内部コンパートメントＣＩ（Ｎ−１）の側面の上縁の長さの半分に、関節で、例えば折り目によって、連結されている。
【００２８】
図１、５および６に示された本発明の実施形態では、各内部、外部コンパートメントの全ての四角形面は正方形である。外部コンパートメントＣＥの側面、底面およびカバー面の縁または辺は、長さＬを有する。その結果、組み立てられた状態では、関節連結可能構造は、立方体を形成する。その立方体の高さ、幅および深さは、同じ長さＬを有する。
内部コンパートメントＣＩ１，ＣＩ２，ＣＩ３，…，ＣＩＮの側面ＦＬ、底面ＦＦおよびカバーの縁か側面は、
2014501666.tif 000006
と等しいか又はそれよりも短い長さＬｉを有する。もし、人がより短い長さＬｉを用すれば、第２のものが第１のもの内に合わされるとき、長さＣＩＮとコンパートメントＣＩ（Ｎ−１）との間にスペースが残されるだろう。
2014501666.tif 000007
に等しい長さＬｉが使用される場合、図６に示されるように、コンパートメントＣＩＮはコンパートメントＣＩ（Ｎ−１）内に、４５度の角度変位で、密に合わされ得る。
【００２９】
あなた方が図５Ａ、５Ｂ、５Ｃ、５Ｄ、５Ｅから分かるように、ここに記述された比率の関係および他の特性が満たされる限り、最も内側のパッケージは、それらの三角形面のうちのいずれかによって最も外側のパッケージに連結され得る。その三角形面はまた、最も外側のコンパートメントの側面のうちのいずれか１つにリンクされ得る。
【００３０】
本発明によるパッケージは、分解された状態にある単一の平らな片によって形成され得る。特に、１平方メートル当たりグラムで異なる重量の紙のような材料、ボール紙、プラスチック、重合体、透明若しくは不透明、剛性若しくは半剛性、パターン化された若しくは単純な、さらにまたは、ゴム引きの材料、泡から形成され得る。材料が柔軟性を有する場合には、連結および関節リンクおよび継ぎ目は、単一の片における折り目によって形成されるのが好ましい。このことは、パッケージを非常に安く、かつ製造容易にする。また、単一片を切断し折り目を付けて図中に示される形状にするのに十分である。
【００３１】
さらに、本発明に従うパッケージを、木、プラスチックおよび金属のような剛で抵抗力がある材料、または、パラナ紙のような抵抗力があるが剛性が少ない材料から形成することができる。これらの場合には、関節連結および継ぎ目は、ヒンジによって形成され得る。パッケージは、磁石によって、圧力によって、嵌め込み閉鎖（male-female closure）によって、ベルクロ（Velcro）または他のタイプの連結によって閉じられ得る。パッケージ面は磁性を有して、その抵抗力を改善し、パッケージの取り扱いを容易にしてもよい。これらの結合タイプは、パッケージを閉じるためと、構造面を何らかの別の態様で結合するためとの両方のために使用され得る。継ぎ目の関節連結の活性化は、自動化された態様でなされ得る。また、その自動的な活性化は遠隔でなされ得る。
【００３２】
図１２から図２１に関して後により非常に詳しく記述されるように、上記パッケージは、それが応用される目的にそれを適応させるために、織物で、内部的または外部的に被覆され得るし、如何なる刻印（imprint）、浮き彫り（relief）をも受け得るし、付加的な片に結合され、および／または、形状または表面コーティングの任意のタイプの適用をも受け得る。
【００３３】
図９から図１１に示された発明の実施形態では、外部コンパートメントは、さらに、外部コンパートメントＣＥ内に配置されており、組み立てられた状態で、図１１Ａおよび図１１Ｂ中に示されるように、その重量を支えるために、内部コンパートメントＣＩ１の下に配置される台座を有する。この台座４は、内部コンパートメントＣＩ１に対して水平の支持を提供する。その内部コンパートメントは、パッケージ構造を吊り下げて強いる代わりに、その支持面Ａの上に載る。この台座の使用は、内部コンパートメントの内部に保持されたより重い片が、内部コンパートメントを下方へ押しやり、外部コンパートメントＣＥの内底と内部コンパートメントＣＩ１の外底との間の空スペースを占めて、内部コンパートメントを変形させる傾向がある状況で、望ましい。この空スペースは、図２Ｂ（それは、台座無しの本発明の実施形態を示している。）中で一層よく観察されるかもしれない。図１１Ａおよび図１１Ｂでは、人は、内部コンパートメントＣＩ１を支えている、２つのコンパートメント間の前述の空スペース内にある台座を観察することができる。それは最早緩くない。
【００３４】
台座４は、組み立てられた状態にあるとき、水平に配置される支持面Ａを有する。その上に、内部コンパートメントＣＩ１の底面ＦＦが載る。支持面Ａは、正方形であってもよく、外部コンパートメントＣＥの底面ＦＦより小さい寸法を有していてもよい。その結果、支持面は外部コンパートメントの中に嵌合し、外部コンパートメントに関して４５度の角度だけずれ得る。図面に示された本発明の実施形態では、支持面Ａは、内部コンパートメントＣＩ１の底面と同じ寸法を有する。
【００３５】
支持面Ａの４つの側縁の各々は、台座のそれぞれの側部三角形Ｂに関節で連結されている。それは台座を支えることを支援する。したがって、台座は合計４つの側部三角形Ｂを有する。それは、これらの図中で示される本発明のこの実施形態では、正三角形である。これらの側部三角形Ｂの各々は、その縁のうちの１つで、それぞれの基部三角形Ｃ１、Ｃ２、Ｃ３またはＣ４に関節で連結されている。上記台座は、合計４つの基部三角形Ｃ１、Ｃ２、Ｃ３、Ｃ４をも有する。それらは、二等辺三角形であってよく、支持面Ａを支えることを支援する。これらの基部三角形Ｃ１、Ｃ２、Ｃ３、Ｃ４は、等しい長さのそれらの辺のうちの１つで、側部三角形Ｂに連結されている。３つの基部三角形Ｃ１、Ｃ２、Ｃ３は、それぞれの支持台形Ｄの縁に、各々関節で連結されている。図９Ａ中に示されるように、各基部三角形Ｃ１、Ｃ２、Ｃ３のそれぞれの支持台形Ｄとの連結は、支持面Ａにリンクされているその基部三角形の角と反対の、上記基部三角形のより大きい縁によってなされる。４番目の基部三角形Ｃ４は、正方形の連結面Ｅ（それは、台座４と外部コンパートメントＣＥとの間の連結をすることに対して責任がある。）の縁に関節で連結されている。この場合、連結面Ｅは、このコンパートメントＣＥの底に台座を位置決めしながら、それがこのコンパートメント中に折り畳まれ得るように、外部コンパートメントＣＥの側面ＦＬと等しい寸法を有すべきである。この目的のために、連結面Ｅは、基部Ｃ４と反対の縁によって、外部コンパートメントＣＥの側面ＦＬの上縁に、関節でリンクされている。加えて、各基部三角形Ｃ１、Ｃ２、Ｃ３、Ｃ４は、また、別の縁によって、折り畳み三角形Ｇ（それは、単に美的な仕上げ機能を持ちながら、組立品を閉じる。）の縁に、関節で連結されている。それから、上記台座は、４つの折り畳み三角形Ｇを有する。それは、組み立てられた状態では、内側へ折り畳まれ、支持面Ａの下を走って、それを閉じるために寄与する。このように、上記台座は、時計回りに、支持面Ａの周りに配置された、側部三角形Ｂ、基部三角形Ｃ１、Ｃ２、Ｃ３またはＣ４、および折り畳み三角形Ｇによって形成された４つの逐次的な三角形の順序を備えている。
【００３６】
加えて、図９Ａ中に示されるように、外部コンパートメントの側面ＦＬの各々は、この場合、切り出し（cut-out）５を有する。台座が外部コンパートメントの内部に取り付けられた状態でパッケージが組み立てられた状態にあるとき、台形Ｄの端部がその切り出しの中に嵌まる。この場合、３つの台形のそれぞれの係合のために、３つの側面ＦＬだけに切り出し５が設けられるべきことが必要である（図示されたバージョンではない）。これは、上記台座が外部コンパートメントの内部に取り付けられるとき、上記台形は、或る角度で上向きに折り畳まれ、その結果、その自由端が上記側面の切り出し５に合い、その中に嵌まり、それぞれの側面を貫通し、それ自体が上記外部コンパートメントの外側へ延びるからである。また、これらの切り出し５は、カバー面ＦＴの三角形フラップ２１、２２および２３と係合して、パッケージのより確実な閉鎖を提供するために、使用され得る。この場合、図９Ａ中に示されるように、人は、３つのフラップおよび３つの台形を係合するために、４つの切り出し５を、各側面に１つ、設けることができる。
【００３７】
また、台形Ｄの折り目に加えて、台座を取り付けるために、支持面Ａに関して下方へ側部三角形Ｂを折り畳み、また、上記側部三角形（それに対して基部三角形は関節で連結されている。）に関して下方へ基部三角形Ｃ１、Ｃ２、Ｃ３、Ｃ４を折り畳むことが必要である。このことは、各基部三角形Ｃ１、Ｃ２、Ｃ３、Ｃ４が、時計回りに次の順序の側部三角形Ｂに、それらの縁が合うまで接近することを引き起こす。次の順序の側部三角形Ｂに関する基部三角形Ｃ１、Ｃ２、Ｃ３、Ｃ４のこの接近する動きで、内側へ等しく折り重ねられた折り畳み三角形Ｇは、支持面Ａの下を走り、その閉鎖を引き起こす。この折り畳みプロセスの後、台座は、図９Ｂ中に示された形状を呈し、内部コンパートメントＣＩ１のための安定した支持を提供する。また、図１１Ａおよび図１１Ｂは、内部コンパートメントＣＩ１を支持する台座を、断面図で示している。図９Ｃは、外部コンパートメントＣＥ内の台座４、およびそれに載っている内部コンパートメントＣＩ１の配置を、概略斜視図で示している。点線は、内部コンパートメントと台座の、外部コンパートメントの外部から見えない面を示している。
【００３８】
パッケージを適切に閉じることが必要である場合に、例えばそれがポリプロピレンから作られている場合、三角形のフラップ２１、２２、２３のさらにしっかりした固定を提供するために、側面ＦＬに位置した切り出し５は、それらの端部にロック５１を備えてもよい。図２６および主として下側の詳細部に示されるように、切り出し５１のこれらのロックは、切り出し５の端部の各１つから底面ＦＦへ向かう鈍角の下での延長部分からなる。また、三角形フラップも、ロック５２を備えている。さらに図２６の詳細部で見られ得るように、本発明のこの実施形態におけるフラップロック５２は、構造カバーが閉じられたとき、切り出しロック５１と係合するように、そのフラップの各側縁で、側縁が切り出し５と交差する点で、鋸歯の形状に構成されている。上記ロックは、それが切り出しロック５１と係合可能である限り、丸くされた形状を含めて、鋸歯以外の如何なる他の形状をもとり得る。主として構造が或る種の記憶を有する材料から作られる場合、この係合はカバー面ＦＴの構造の残部とのさらに安全な固定を提供する。図２１Ａおよび図２１Ｂ中に示されたパッケージの実施形態によれば、２つの同一の外部コンパートメントＣＥ１、ＣＥ２が設けられ、それらの外部コンパートメントの各々は、１つの内部コンパートメントに連結されている。これらの内部コンパートメントは、より小さい寸法の他の内部コンパートメントなどに連結されてもよい。外部コンパートメントのように形作られたリンク用コンパートメントＣＬが、さらに、上記２つの外部コンパートメントＣＥ１、ＣＥ２の間に連結されている。その結果、各外部コンパートメントは、リンク用コンパートメントＣＬの側面ＦＬの上縁に関節で連結された上縁をもつ側面ＦＬを有する。外部コンパートメントに連結されたリンク用コンパートメントＣＬの側面ＦＬは、正反対に対向しているべきである。その結果、組み立てられた状態では、各外部コンパートメントはリンク用コンパートメントＣＬの１つの反対側に置かれるだろう。その上、リンク用コンパートメントＣＬは２つのストラップを含む。各ストラップは、リンク用コンパートメントの自由な側面のうちの１つの上縁に付けられている。言いかえれば、上記コンパートメントは、リンク用コンパートメントＣＬの反対側面に付けられた２つのストラップを備えている。その結果、組み立てられた状態で、２つのストラップは向かいあって配置され、一緒に運ばれ得る。
【００３９】
図２４Ａから２４Ｅまでは、３つの異なるタイプのストラップを備えた本発明の構造を示している。図２４Ｃの構造は、上記外部コンパートメントの上記側面のうちの１つの上縁に付けられた唯一のストラップ４０を有する。それは、対向面ＦＬの切断線５と係合するだろう。この構造は、カバー面ＦＴの、および、そのカバー面のそれぞれの３つのフラップの閉鎖を要求する。図２４Ａおよび図２４Ｂは、それぞれ半楕円形、半円形であるストラップ３０を用いる構造を示している。それらのストラップ３０は正反対に対向した側面の上縁に付けられている。図２４Ｄおよび図２４Ｅは、ストラップの支援によって構造を組み立てるプロセスを示している。左画像は、中央の折り目２０をもつ設計された状態にある構造を示している。中央の折り目は、人がその構造を素早く組み立てることを可能にする。右画像は、組み立てプロセスの間に、中央の折り目２０で折り畳まれたパッケージを示している。図２４Ａおよび図２４Ｂの構造のストラップは、それらのストラップの２つの端部でその構造に付けられている。そのことは、より大きい抵抗力を提供し、それらを組み立て取り付ける必要を無くす。図２４Ａおよび図２４Ｂの実施形態中で、三角形面Ｔは、それらが組み立てられるように、接着され又は溶接されるのが好ましい。そのことは、上記構造のために要求される安定性と剛性を提供する。
【００４０】
図３１Ａ、Ｂおよび図３２Ａ、Ｂは、ストラップを備えた構造の別のモデルを示している。このモデルは、図９から図１１に示されたタイプの小さい内部台座４を用いる構造に関連している。図３１Ａ（上記構造の設計された上面を示す。）中に示されるように、ストラップは、台座の支持台形Ｄのうちの１つから、ストリップ１００の形態で延在している。上記構造が組み立てられる場合、ストリップ１００は、それがカバー面とオーバーラップするように配置されていることから、最も外側のコンパートメントの側面のうちの１つの切り出し５を通り抜ける。そして、図３２Ａおよび図３２Ｂにおける側面図と正面図で分かるように、そのストリップの端部１０１は、再び、それが上記コンパートメントの外部へ出た側面と反対側の側面ＦＬの切り出し５から外部コンパートメントに入る。図３１Ｂで分かるように、支持台形Ｄと反対側のそのストラップの端部１０１は、より大きい幅を有し、組み立てられた状態にあるとき、ストラップの確かな取り付けのために、上記台形（そこからストラップが延びる）と反対側の支持台形Ｄの端部１０２に接着されるべきである。
【００４１】
図２２および図２３は、本発明のパッケージを使用する仕方を示している。それは、食料品店のような高い販売量を有する施設での使用に適合され、したがって、パッケージが殆どスペースを占めず、より少ない動作で素早く組み立てられ得ることが重要でである。これらの図は外部コンパートメントだけを示しているけれども、同じ物理的特性および折り畳み手順は、内部コンパートメントのために類似して用いられ得る。内部コンパートメントは、外部コンパートメントと同じ形状を有するからである。図２２および２３の表現は、単に理解を容易にするために単純化されている。
【００４２】
図２２は、本発明の一実施形態を示し、そこでは、左側の画像に従って、上記外部コンパートメントは、その底面に対角線８に沿って、折り目又はしわの形態をとり得る関節を備える。パッケージが素早く組み立てられるために、折り目線８の端部に触れる２つの三角形Ｔが、半分だけ折り畳まれ、接着されるか、または、それらの斜辺が互いに溶接されるべきである、ということが必要である。このように、中央の画像に従って、外部コンパートメントをこの対角線８に沿って中間で折り畳み、それから右側の画像に従って、カバー面ＦＴを後方または前方へ折り畳みさえすれば、十分である。
【００４３】
図２３は、本発明の一実施形態を示し、そこでは、上記外部コンパートメントの底面ＦＦが、その底面の対角線のうちの１つの方向に、切り出し９を備えている。この場合、全ての三角形面Ｔは接着または溶接されるべきである。こうして、人は、三角形面Ｔを中間で折り畳み、それから、これらの三角形面の２つの半分を結合する。中央の画像に示されるように、切り出し９で分割された中央面によって形成された２つの三角形は、それらが押されると、下方へ突出され、そして、横に変位する。それから、右側の画像に従って、人は、カバー面ＦＴを後方または前方へ折り畳む。本発明のこの実施形態では、組み立てられた状態にあるとき、図９から図１１に示されたように、内容物がパッケージの底から出て来るのを防ぎ、かつより大きい剛性をそれに与えるために、底面に対して或るタイプの支持体または台座４自体を結合することが必要である。
【００４４】
本発明の幾つかの実施形態では、例えば図１５に示された用途に関しては、内部コンパートメントのうちの１つは、単一ブロックの形態で静止したままであってもよい。それは後により非常に詳しく記述される。
【００４５】
本発明のパッケージは、様々な用途のために使用され得る。利用の第１の形態は、多用途パッケージであろう。それは、パッケージを価値あるようにするとともに、パッケージの内部に保持された製品を保護する。また、パッケージは、衝撃を吸収する、および／または、外部コンパートメントと内部コンパートメントの間の結果として生じる空スペースを満たす材料と接合される。それにより、より一層組立品を抵抗力あるようにする。上記パッケージは、宝石、クリスタル、瀬戸物、下着、子供服、とりわけ、電子機器、携帯電話、ｉＰａｄ、ｉＰｈｏｎｅなどのような、プレゼントのためのケースとして使用され得る。
【００４６】
利用の別の可能な形態は、ビスケット・チョコレートのような食品のためのパッケージとしてであり、または、ワインとウォツカのボトルを含んでいる飲料パッケージとして、アルミニウム缶、フルーツジュース若しくはミルクのためのボール紙パッケージ、ＰＥＴボトルとしてである。図８に示されたパッケージは、例えば、飲料ボトルの梱包のために使用され得る。この実施形態では、内部コンパートメントは底面（そのコンパートメント内に凹部を形成する）を有しない。そこでは、ボトルは、底部が外部コンパートメントの底面に載り、その本体が内部コンパートメントの側面に寄り掛かった態様で、しっかりした安全な態様で配置され得る。
【００４７】
本発明による構造は、多重梱包パッケージとして機能することができ、とりわけ、小さい缶、ＰＥＴボトル、ボール紙パッケージを保持することができる。本発明の一実施形態では、図２５に示されるように、人は、子どものために設計された１６個の２００ｍｌのボール紙パッケージ５０の宣伝用の箱を提供することができる。この場合、パッケージは、４の４に配置され得、内部スペースを構成している。設計された形態にある上記パッケージは、ゲームボードへ変換され得るので、その内部スペースには、玩具あるいは他の宣伝用の部分（文字、データ、アクセサリなどのような）を保持できる。より小さいコンパートメントは、ルーレットとしても使用され得る（ゲームがこれを要求するならば）。
【００４８】
上記パッケージは、ゲームボードとして機能して、様々なゲームに使用され得る。例えば、人が次の段階に進むにつれて、立方体が開き、プレーヤは新しいボード（レベル）に達する。そして、内部コンパートメントがパッケージに設けられているので、これが進展するだろう。また、設計された状態で、パッケージは、ゲームでのキャラクタについての物語を話すためのサポートとして役立つことができる。例えば、内部コンパートメントまたは外部コンパートメントの内面または外面のうちの１つに各キャラクタの記述を配置することによってである。その内面または外面に記述を備えたパッケージのこの形式は、外側から内側に読まれる本、または、そのほかに、ページに固定された折り紙を含んでいる本（その本のページが開かれるとき、折り紙が組み立てられる）として、機能することができる。また、上記パッケージは、フラクタル若しくは別のタイプの単純な数学的な物、または、別のタイプの教育的な物として使用され得る。そこでは、子どもの運動機能の発達を支援しながら、学習と教育のプロセスを支援するように、その面に文字と数字が印刷され得る。さらに、それは、とりわけ、子どもの玩具、創造性が与えられたもの、無数のキーを備えた創造的な金庫、各面が１つ以上の絵を受けている写真ホルダとして使用され得る。これらの場合、および他の場合では、上記構造は、被覆されたパラナ紙、または１平方メートル当たりグラムで高い重量を有する同様の紙から作られ得る。それはより大きい抵抗力を与える。
【００４９】
図２７Ａから図２７Ｅは、パッケージ面が異なる厚さで作られている本発明の一実施形態を示している。この実施形態では、側面ＦＬおよび底面ＦＦは、フラップ２１、２２および２３の２倍の厚さを有すべきである。その上、フラップ２１、２２、２３の結合領域内で、側面ＦＬに、凹部Ｒが形成されている。これらの凹部Ｒは、同じ形状を有する側面ＦＬの内部の部分であり、各側面の外縁に隣り合い、その面の残り部分の半分の厚さを示している。これらの凹部は、上記構造が組み立てられた位置にあり、上記カバーが閉じられているとき、人が、上記フラップをそれら凹部の内側に嵌め合わせ又は収容することを可能にする。
【００５０】
したがって、フラップ２１、２２、２３と側面ＦＬとの間の係合は、嵌め込みシステムによって、とりわけベルクロ、磁石によって、作られ得る。本発明のこの実施形態は、上記構造が、金属、プラスチックおよび木材のような剛性材料から作られ、ヒンジが設けられる場合（フラップが側面内の切り出しに嵌合され得ない場合）、好ましく使用される。
【００５１】
図１２に示された本発明の用途では、外部コンパートメントおよび内部コンパートメントを含んでいるパッケージが、ＣＤ、ＤＶＤ、または本などのタイプの物を保持するために用いられる。これらの物は、最も内側のコンパートメント内に配置される。上記外部コンパートメント内の空スペースは他の物を保持するために使用され得る。あるいは、人は、これらのより重い物を支持することを支援するために、台座４を使用するパッケージのバージョンを使用してもよい。本を保持するために使用される場合、パッケージは、３つの最も通常の出版フォーマット、すなわち１８×１８ｃｍ、１４×２１ｃｍおよび１６×２３ｃｍを含むどんなフォーマットも収容するように形成され得る。最後の２つの長方形フォーマットは、図７に示されたタイプである。
【００５２】
また、上記パッケージは、例えば、とりわけ、上記より小さい内部コンパートメントを、携帯電話、ＭＰ３プレーヤ、キー、ドキュメント、クレジットカード、ＵＳＢメモリ、宝石箱のような、等しく小さい物体を保持するために使用することによって、個人の物を編成するのを支援するために使用され得る。
【００５３】
或る可能な用途では、パッケージは、宣伝用の広告箱として使用されてもよい。それは、事業会社によるクレジットカードのそれらのクライアントへの配達のための広告用および説明的なフォルダの役割を果たすだろう。上記内部コンパートメントは、クレジットカードを安全にするためのサポートを備えてもよいし、セキュリティシーリングシステム（security sealing system）を有してもよい。別のコンパートメント内のコンパートメントがパッケージをより安全にするという事実に加えて、人々にパッケージを裂いて開くことを余儀なくさせる、取り外し可能なフィッティングフラップ（fitting flap）のような、より大きい保護を目指す幾つかの追加のシステムが採用され得る。それは、再び完全に閉じるのを妨げ、メール妨害に関してクライアントによる制御を容易にする。
【００５４】
図１３は、ＵＳＢメモリと関連して使用されるパッケージの実施形態を示している。そこでは、内部コンパートメントはＵＳＢ接続部を有している。上記内部コンパートメントはチェーンに接続されて、キーホルダを構成している。
【００５５】
図１４Ａおよび図１４Ｂは、本発明の実施形態の２つの変形例を示している。そこでは、これらの図中に示されるように、上記パッケージは、計算機として使用されている。そこでは、キーは様々な配置に編成され得る。例として示された実施形態では、内部コンパートメントは、開かず、その上に操作の結果（図１４Ｂ）だけが現われるスクリーンと、それらの面の各々に、関数、掛け算、割り算、加算および引き算（図１４Ａ）をもつものとの両方であってもよい。
【００５６】
図１５は、上記パッケージが壁掛け時計として使用される本発明の一実施形態を示している。外部コンパートメントの内底面は時間（hour）を示し、第１の内部コンパートメントＣＩ１の内面は分（minute）を示し、また、第２の最も内側のコンパートメントＣＩ２の内面は秒（second）を示す。この目的のために、時計の針が各コンパートメントの底面上に設けられている。その上、外部コンパートメントＣＥの内側カバー面は日（day）を示し、また、モジュールＣＩ１、ＣＩ２の内側カバー面は月（month）と年（year）を示す。この場合、パッケージは支持体として働き、折り畳まれても折り畳まれなくてもよい。
【００５７】
図１６Ａおよび図１６Ｂは、本発明の実施形態の２つの変形例を示している。そこでは、上記パッケージがカレンダ（ここに図示されたものに加えて異なる態様で構成され得る。）として用いられている。これらの図では、１つの外部コンパートメントおよび１つの内部コンパートメントが使用されている。また、その年の月が上記コンパートメントの各正方形面上に印刷されている。人は、内面および外面を使用して、同じパッケージに２年のカレンダを配置し得る。また、人は、１つの外部コンパートメントと５つの内部コンパートメントとを使用し得る（各コンパートメントの全部の内面が１つの月を含む。）。
【００５８】
図１７および図１８は、上記パッケージがノート型パーソナルコンピュータとして用いられている本発明の実施形態の２つの変形例を示している。図１７に示された実施形態では、上記内部コンパートメントは、統合されたマウスの機能を有している。図１８に示された実施形態では、上記より小さいコンパートメントは、コンピュータモニタに取って代わるべき保護スクリーンとして使用されている。図１７および図１８の両方の場合に、上記外部コンパートメントは、その内面にコンピュータキーボードを有している。上記パッケージの外面は、抵抗力を有することに加えて、太陽光発電可能であって、コンピュータバッテリを再装填してもよい（後者が使用されていない場合）。その幾何学的形状のせいで、コンピュータは、上記モニタまたは上記統合されたマウスが左側または右側に配置されて、右利きの人々と左利きの人々との両方に適応され得る。両方のモデルは、従来のモニタに取って代わる視覚投影装置を有する。しかしながら、図１７の実施形態では、その装置に関して外部の壁にスクリーンを形成して、画像は投影される。また、図１８に示される実施形態では、画像は、開位置にある上記より小さいコンパートメントによって形成されたスクリーンに投影される。
【００５９】
図１９は、上記パッケージが２つのスクリーンをもつ携帯電話として使用される本発明の一実施形態を示している。一方のスクリーンは、従来使用のディスプレイであり、他方のスクリーンは、ウェブカメラを見るためのものである。これらのスクリーンは、上記外部コンパートメントの或る側面および内側カバー面に配置されている。携帯電話キーボードは、上記外部コンパートメントの内側中央領域に配置されている。上記内部コンパートメントは、取り外し可能なバッテリを構成するか又は含む。そのことは、或るバッテリが使用されながら、他方のバッテリが装填され得るので、携帯電話バッテリの装填を容易にする。
【００６０】
図２０は、上記パッケージがポータブル型ステレオとして使用される本発明の一実施形態を示している。そこでは、開位置にある上記外部コンパートメントが共鳴箱を保持し、上記内部コンパートメントが装置自体である。
【００６１】
さらに、本発明によるパッケージの、公衆電話通信システムの形態のような、ここに示されない他の用途の形態も可能である。そこでは、人々は、カードかトークンを導入した後（それは、最も内側のコンパートメントの自動的な開システムを作動させる始動させる。）に、最も内側のコンパートメントに配置された装置へのアクセスをするだけだろう。このようにして、人は、破壊行為を防ぐだろう。破壊行為は、大都市において非常に一般的で、装置を破損し、全住民に有害である。
【００６２】
また、上記パッケージは、トーテム情報電子システムとして応用され得る。それは、パスワードまたはセキュリティキーによって開閉されるだろう。このシステムが移動可能であるので、それが閉じられたまま、トーテムの観光情報は、セキュリティの不足によりこのタイプのサービスを持たない場所で、格納され得る。
【００６３】
上記パッケージを構成する材料の抵抗力および剛性に依存して、上記パッケージは、木材、金属、剛性ポリマその他の剛性材料を用いることによって、ベンチまたは中央テーブルのような、折り畳めて関節連結可能な家具（１点）として使用されてもよい。さらに、剛性材料のバージョンは、正方形の形状にある販売スタンド、必要によって開閉できる情報パネル、劇場用風景、踊り手または俳優が上記パッケージのコンパートメントのうちの１つに居て、ショー中にそれとやり取りするダンスまたはパフォーマンス、に適用可能である。
【００６４】
また、上記パッケージは、とりわけ、結婚と誕生の日のためのパーティカード、名刺、ビジネスフォルダまたはプロジェクト普及フォルダ、販売促進小冊子のような、他の文房具類に適用され得る。
【００６５】
また、本発明は、自動化された太陽光発電プレートのような、技術的品目に適用可能である。それは、内面に付けられたセンサを有し、本発明による構造が設計されたとき機能するだろう。上記外部コンパートメントは、抵抗力があり、全てのセンサとより高価な品物を保護するように、風と天候、危険、または単に保護のために、閉じることができるだろう。日当たりがよい日に、パッケージは開き、人が捕集したいと望むエネルギ量に従って異なるサイズを引き受けることができるだろう。また、本発明は、宇宙および人工衛星基地で太陽電池として使用され得る。それは、折り畳み可能であるという太陽電池モジュールのための宇宙機関の要求を満たし、宇宙のような苛酷な環境での必要の場合には保護される。
【００６６】
また、本発明は、ポータブル型テレビ受像機として使用され得る。そこでは、上記外部コンパートメントは開いている。上記スクリーンおよび上記内部コンパートメントは閉じられ続けてもよく、メモリ、ＤＶＤプレーヤまたは他の付属物を含んでいてもよい。同じ方針で本発明を使用する別の形態は、仮想プロジェクタとしてである。そこでは、上記内部コンパートメントは、開状態にある上記外部コンパートメントの内面と、壁のような外面との両方に、突き出るだろう。画像は、双方向にさえ、なり得る。
【００６７】
実施形態の様々な好ましい例が説明された。本発明の範囲は他の可能な変化を包含することが理解されるべきである。本発明の範囲は、添付のクレームの内容によってのみ制限される。それらは可能な等価物を含んでいる。
【図１】
2014501666.tif 000009
【図２Ａ】
2014501666.tif 000010
【図２Ｂ】
2014501666.tif 000011
【図３】
2014501666.tif 000012
【図４】
2014501666.tif 000013
【図５Ａ】
2014501666.tif 000014
【図５Ｂ】
2014501666.tif 000015
【図５Ｃ】
2014501666.tif 000016
【図５Ｄ】
2014501666.tif 000017
【図５Ｅ】
2014501666.tif 000018
【図５Ｆ】
2014501666.tif 000019
【図５Ｇ】
2014501666.tif 000020
【図６】
2014501666.tif 000021
【図７】
2014501666.tif 000022
【図８】
2014501666.tif 000023
【図９Ａ】
2014501666.tif 000024
【図９Ｂ】
2014501666.tif 000025
【図９Ｃ】
2014501666.tif 000026
【図１０Ａ】
2014501666.tif 000027
【図１０Ｂ】
2014501666.tif 000028
【図１１Ａ】
2014501666.tif 000029
【図１１Ｂ】
2014501666.tif 000030
【図１２】
2014501666.tif 000031
【図１３】
2014501666.tif 000032
【図１４Ａ】
2014501666.tif 000033
【図１４Ｂ】
2014501666.tif 000034
【図１５】
2014501666.tif 000035
【図１６Ａ】
2014501666.tif 000036
【図１６Ｂ】
2014501666.tif 000037
【図１７】
2014501666.tif 000038
【図１８】
2014501666.tif 000039
【図１９】
2014501666.tif 000040
【図２０】
2014501666.tif 000041
【図２１Ａ】
2014501666.tif 000042
【図２１Ｂ】
2014501666.tif 000043
【図２２】
2014501666.tif 000044
【図２３】
2014501666.tif 000045
【図２４Ａ】
2014501666.tif 000046
【図２４Ｂ】
2014501666.tif 000047
【図２４Ｃ】
2014501666.tif 000048
【図２４Ｄ】
2014501666.tif 000049
【図２４Ｅ】
2014501666.tif 000050
【図２５】
2014501666.tif 000051
【図２６】
2014501666.tif 000052
【図２７Ａ】
2014501666.tif 000053
【図２７Ｂ】
2014501666.tif 000054
【図２７Ｃ】
2014501666.tif 000055
【図２７Ｄ】
2014501666.tif 000056
【図２７Ｅ】
2014501666.tif 000057
【図２８】
2014501666.tif 000058
【図２９】
2014501666.tif 000059
【図３０】
2014501666.tif 000060
【図３１Ａ】
2014501666.tif 000061
【図３１Ｂ】
2014501666.tif 000062
【図３２Ａ】
2014501666.tif 000063
【図３２Ｂ】
2014501666.tif 000064
【国際調査報告】
2014501666.tif 000065
2014501666.tif 000066
2014501666.tif 000067
2014501666.tif 000068